(57)【特許請求の範囲】
【請求項１】
貯氷庫(11)の前面に貯氷庫扉を開閉自在に構成した貯氷庫扉組立体(30)を、自動製氷機等の本体(10)に着脱可能に組付けてなる自動製氷機等の貯氷庫扉組立体において、
前記貯氷庫扉組立体(30)は、開閉自在な扉(34)と、前記扉(34)の移動を案内するガイド溝(37a,37b)を備えると共に自動製氷機等の本体(10)に直接組付けるバックパネル(35)と、前記バックパネル(35)の前面に対し前記扉(34)を保持するように着脱可能に取付けるフロントパネル(31)を備え、前記フロントパネル(31)を、前記扉(34)の上部、下部および左右両側部をそれぞれ保持するように配置した、上部フロントパネル(32a)、下部フロントパネル(32b)および左右フロントパネル(33a,33b)から構成した
ことを特徴とする自動製氷機等の貯氷庫扉組立体。
【発明の詳細な説明】
【０００１】
【発明の属する技術分野】
本発明は、自動製氷機等の貯氷庫扉組立体に関し、更に詳細には、特に貯氷庫扉およびその周囲における清掃ないしメンテナンスを簡便かつ容易に達成し得るように組付けることができるよう構成した自動製氷機等の貯氷庫扉組立体に関するものである。
【０００２】
【従来の技術】
一般に、自動製氷機においては、貯氷庫内に貯留された氷塊を随時取出すことができるように、製氷機本体の前面に開閉自在な貯氷庫扉が設けられている。そして、この貯氷庫扉は、外気との遮断を有効に行なうために、該扉を組付けるための周囲部材(貯氷庫扉組立体)は、断熱構造を採用すると共に、多くの部材を使用して複雑に組付けられている。
【０００３】
図６および図７は、従来の自動製氷機の貯氷庫扉組立体の構成とその組付け状態をそれぞれ示す分解斜視図である。すなわち、図６は、従来の自動製氷機に対して貯氷庫扉組立体を組付ける状態を示すものであり、自動製氷機等の本体１０の前面上方において、断熱構造からなるフロントパネル１２の一部に扉１４を上下方向にスライド可能に取付けてなる貯氷庫扉組立体２０を、ねじ等の係止具を介して着脱自在に取付けるよう構成される。なお、図６において、参照符号２２は前記本体１０の頂部に取付けられる天板アッセンブリを示すと共に、参照符号２４は本体１０の下部前面に取付けられる冷凍機用通風パネルアッセンブリを示すものである。
【０００４】
次に、図７は、前記図６における貯氷庫扉組立体２０の構成を示す、各構成部材の分解斜視図である。すなわち、図７において、貯氷庫扉組立体２０は、前述したフロントパネル１２と扉１４との結合に際し、該フロントパネル１２の内面に断熱材保持パネル１３を重ね合わせ、その後面に扉１４を挾持するようにしてバックパネル１５を重ね合わせた構成からなる。そして、前記扉１４の両側部に対向して一対のガイドレール１６ａ,１６ｂを装着すると共に、前記扉１４の上端にワイヤ１７の一端１７ａを結合し、このワイヤ１７を前記断熱材保持パネル１３の上方に取付けるプーリ１８に巻き掛けて、前記扉１４をワイヤ１７で吊り下げる状態とする。更に、前記ワイヤ１７の他端１７ｂに適当な重量からなるウエイト１９を適宜結合することによって、前記扉１４をフロントパネル１２に対し上下方向への開閉を可能とした構成とされる。
【０００５】
なお、前記貯氷庫扉組立体２０の構成において、フロントパネル１２に取付けられる扉１４の構造としては、図示例のように上下に開閉するもの以外に、左右に開閉する構造からなるものも、従来より多数提案され実施されている。
【０００６】
【発明が解決しようとする課題】
しかるに、前述した構成からなる従来の貯氷庫扉組立体２０において、雑菌やカビの付着ないし繁殖を防止するため、扉１４およびその周囲の清掃は不可欠である。しかしながら、従来の複雑な構成からなる貯氷庫扉組立体２０においては、扉１４をフロントパネル１２から簡単に取外すことができないため、特に雑菌やカビの付着し易い扉１４の背面や扉１４のスライドする狭い部分について、適正な清掃を行なうことは困難であった。
【０００７】
従って、従来の貯氷庫扉組立体２０においては、扉１４およびその周囲の清掃ないし貯氷庫内部のメンテナンスを行なうに際しては、前記本体１０の前面よりフロントパネル１２を取外してから行なわなければならず、清掃およびメンテナンス作業が面倒となることから、これらの作業の頻度も少なくなり、貯氷庫に対する衛生管理も不完全となる等の難点があった。
【０００８】
【発明の目的】
本発明は、前述した従来の技術に内在している前記欠点に鑑み、これを好適に解決するべく提案されたものであって、自動製氷機等の本体から貯氷庫扉組立体の全部を取外すことなく、フロントパネルのみを取外すことによって扉の取外しを可能とし、扉の清掃およびその取付け周囲の清掃およびメンテナンス作業を簡便かつ容易に達成することができる自動製氷機等の貯氷庫扉組立体を提供することを目的とする。
【０００９】
【課題を解決するための手段】
前記課題を解決し、所期の目的を好適に達成するため、本発明に係る自動製氷機等の貯氷庫組立体は、
貯氷庫の前面に貯氷庫扉を開閉自在に構成した貯氷庫扉組立体を、自動製氷機等の本体に着脱可能に組付けてなる自動製氷機等の貯氷庫扉組立体において、
前記貯氷庫扉組立体は、開閉自在な扉と、前記扉の移動を案内するガイド溝を備えると共に自動製氷機等の本体に直接組付けるバックパネルと、前記バックパネルの前面に対し前記扉を保持するように着脱可能に取付けるフロントパネルを備え、前記フロントパネルを、前記扉の上部、下部および左右両側部をそれぞれ保持するように配置した、上部フロントパネル、下部フロントパネルおよび左右フロントパネルから構成したことを特徴とする。
【００１０】
【発明の実施の形態】
次に、本発明に係る自動製氷機等の貯氷庫扉組立体につき、好適な実施例を挙げて、添付図面を参照しながら以下説明する。
【００１１】
図１および図２は、本発明を自動製氷機の貯氷庫扉に適用した場合における、貯氷庫扉組立体の一実施例を示すものである。すなわち、図１は自動製氷機の貯氷庫扉組立体の一実施例を示す貯氷庫扉組立体の各構成部材の分解斜視図であり、図２は図１に示す貯氷庫扉組立体を自動製氷機に対して組付ける状態を示す要部分解斜視図である。
【００１２】
本実施例の貯氷庫扉組立体３０は、図１に示す如く、上部フロントパネル３２ａ、下部フロントパネル３２ｂおよび左右フロントパネル３３ａ,３３ｂからなるフロントパネルアッセンブリ(フロントパネル)３１と、扉(貯氷庫扉)３４と、バックパネル３５とを備えた基本構成を有している。そして、前記バックパネル３５は、下部に開口部３６が設けられると共に、幅方向の両側内面には、前記扉３４を嵌合してその上下方向へスライド可能に案内するガイド溝３７ａ,３７ｂが設けられている。またバックパネル３５の上部パネル内面には、所要の空間を保持するケース部３８が設けられると共に、該バックパネル３５の頂部に、前記扉３４を一端において吊り下げてウエイトとのバランス下に上下方向への開閉を可能とする一対のワイヤ３９ａ,３９ｂを、それぞれ巻き掛けるプーリアッセンブリ４０,４０を固定するブラケット４２が取付けられる。なお、参照符号４１は、前記一対のワイヤ３９ａ,３９ｂの他端に結合され、前記ケース部３８内に上下移動可能に収納されるウエイトを示す。
【００１３】
また、図１において、参照符号４４は、前記バックパネル３５の背面に取付けるカバーパネルを示すと共に、参照符号４６は、バックパネル３５の背面縁部に取付けるシール部材を示す。
【００１４】
前記構成からなる本実施例の貯氷庫扉組立体３０は、前述したように、前記バックパネル３５の内側に対し、扉３４をガイド溝３７ａ,３７ｂに嵌合させ、次いでワイヤ３９ａ,３９ｂの一端を結合した後、上部フロントパネル３２ａ、下部フロントパネル３２ｂおよび左右フロントパネル３３ａ,３３ｂとからなるフロントパネルアッセンブリ３１を、適宜着脱可能なねじ等の止具を使用して取付ける。このようにして、本実施例の貯氷庫扉組立体３０は、前記バックパネル３５に対して扉３４およびフロントパネルアッセンブリ３１を、簡便に組立てることができる(図３参照)。
【００１５】
この場合、前記貯氷庫扉組立体３０における、扉３４とフロントパネルアッセンブリ３１とバックパネル３５との関係配置は、図４および図５に示す通りである。すなわち、扉３４が閉成されている状態の下方部の断面構造は、図４に示され、また扉３４が開放されている状態の上方部の断面構造は、図５に示される如く、何れも凹部に扉３４の端縁部が摺動可能の臨んでいるだけである。従って、これらの断面構造からも明らかなように、扉３４の周囲の構成が極めてシンプルな構造となっている。
【００１６】
そして、前記構成からなる本実施例の貯氷庫扉組立体３０は、図２に示すように、自動製氷機等の本体１０の貯氷庫１１に対応する前面において、適宜係止具を使用して組付けることができる。なお、図２において、参照符号２２,２４は、前述したと同様に、前記本体１０の頂部に取付ける天板アッセンブリ、および本体１０の下部前面に取付ける冷凍機用通風パネルアッセンブリを夫々示す。
【００１７】
従って、このように自動製氷機等の本体１０に組付けられた貯氷庫扉組立体３０に対して、貯氷庫扉の清掃およびメンテナンス作業を行うに際しては、前記本体１０から貯氷庫扉組立体３０の全部を取外すことなく、複数のパネル３２ａ,３２ｂ,３３ａ,３３ｂによって構成されたフロントパネルアッセンブリ３１のみを取外すことにより、前記扉３４の取外しも可能となり(図３参照)、該扉３４の清掃およびその取付け周囲の清掃およびメンテナンス作業を、簡便かつ容易に達成することができる。特に、前記フロントパネルアッセンブリ３１の取付けに際して、摘み付きねじ具を使用することにより、フロントパネルアッセンブリ３１の各部を工具なしで迅速に着脱できる等の優れた利点が得られる。
【００１８】
なお、本実施例の貯氷庫扉組立体３０において、前記バックパネル３５の扉３４の下端部が当接する部分には、排水溝４７および集水孔４８を設け、更にこの集水孔４８を外部ドレンパイプ４９に接続するよう構成することにより、扉３４の周囲に集まる水滴を円滑に排除することができ、貯氷庫内への汚水の混入を防止することができ、極めて衛生的である。また、前記バックパネル３５の扉３４の下端部が当接する部分に、適宜パッキン部材５０を配置することにより、貯氷庫内の冷気洩れ防止と共に、外部からの虫、その他異物等の侵入を防止することができる(図１および図３参照)。
【００１９】
以上、本発明の好適な実施例について説明したが、本発明は前記実施例に限定されることなく、本発明の精神を逸脱しない範囲内において、多くの設計変更が可能である。例えば、フロントパネルについては、実施例では複数の部材から構成したフロントパネルアッセンブリとしたが、一つの部材で構成されたものであってもよい。
【００２０】
【発明の効果】
以上に説明した如く、本発明に係る自動製氷機等の貯氷庫扉組立体によれば、貯氷庫扉の清掃およびメンテナンス作業を行う場合において、自動製氷機等の本体から貯氷庫扉組立体の全部を取外すことなく、フロントパネルのみを取外すことにより、前記扉の取外しも可能となり、扉の清掃およびその取付け周囲の清掃およびメンテナンス作業を、簡便かつ容易に達成することができる等、多くの優れた利点が得られる。
【図面の簡単な説明】
【図１】  本発明に係る自動製氷機等の貯氷庫扉組立体の一実施例を示す貯氷庫扉組立体の各構成部材の要部分解斜視図である。
【図２】  図１に示す貯氷庫扉組立体の自動製氷機に対して組付ける状態を示す要部分解斜視図である。
【図３】  図１に示す貯氷庫扉組立体の組立て状態を示す概略説明斜視図である。
【図４】  図３に示す貯氷庫扉組立体の断面構造を示すものであって、図３のＡ−Ａ線要部断面図である。
【図５】  図３に示す貯氷庫扉組立体の断面構造を示すものであって、図３のＢ−Ｂ線要部断面図である。
【図６】  従来の自動製氷機に対して貯氷庫扉組立体を組付ける状態を示す要部分解斜視図である。
【図７】  図６に示す貯氷庫扉組立体の各構成部材の要部分解斜視図である。
【符号の説明】
１０ 自動製氷機等の本体，１１ 貯氷庫，３０ 貯氷庫扉組立体
３１ フロントパネルアッセンブリ(フロントパネル)
３２ａ 上部フロントパネル，３２ｂ 下部フロントパネル
３３ａ、３３ｂ 左右フロントパネル，３４ 扉，３５ バックパネル
３７ａ、３７ｂ ガイド溝
【図１】
0003911383.tif 000002
【図２】
0003911383.tif 000003
【図３】
0003911383.tif 000004
【図４】
0003911383.tif 000005
【図５】
0003911383.tif 000006
【図６】
0003911383.tif 000007
【図７】
0003911383.tif 000008